(57)【要約】【課題】適正露出の画像が全く得られないミスを防止する。【解決手段】レリーズボタンを半押しすると、ＣＣＤから読み出されたフィールド画の撮像信号に基づいてＡＥ／ＡＷＢ検出部から小領域ごとに検出された１画面分の被写体輝度がＣＰＵに送られる。ＣＰＵは、中央部、左下部、右下部、左上部、右上部の各重点平均測光の重み付けで露出演算処理を行ない、各適正露出値を算出する。各適正露出値がフレーム画用プログラムに適用されることで、電子シャッタ速度，撮影感度，絞り値が求められる。レリーズボタンを全押しすると、ＣＣＤからフレーム画の撮像信号の読み出しが行われ、種々の処理を経て内部メモリに記憶される。続いて、左下部、右下部、左上部、右上部の各重点平均測光の重み付けで算出された適正露出値に基づいて撮影が順次に行なわれる。内部メモリに記憶された５個の画像データは、それぞれ圧縮処理されてからメモリカードに記憶される。【選択図】図９
2008209760.tif 000002
【特許請求の範囲】
【請求項１】
１回のレリーズ操作により、撮影画面の測光中心としての所定領域の位置を順次に変更して複数回の測光を行なうとともに、前記各測光の結果に基づいて、複数回の撮影を連続して行なうことを特徴とする撮影方法。
【請求項２】
前記所定領域の位置は、主要被写体の位置を検出し、この位置に基づいて選択されることを特徴とする請求項１記載の撮影方法。
【請求項３】
前記所定領域の位置は、撮影画面内の輝度が所定閾値よりも低い領域又は高い領域から選択されることを特徴とする請求項１記載の撮影方法。
【請求項４】
前記所定領域の位置は、前記撮影画面を表示する表示画面に表示される所定のマークによって示されることを特徴とする請求項１ないし３いずれか記載の撮影方法。
【請求項５】
前記撮影は、前記各測光の全てを完了した後にまとめて行なうか、前記各測光を行なう度に行なうか、のいずれか一方が選択自在であることを特徴とする請求項１ないし４いずれか記載の撮影方法。
【請求項６】
前記複数回の測光の結果、撮影光学系を構成する絞りを動かす必要がある場合、前記絞りを動かすことなく少なくとも１回の撮影を行なった後、前記測光の結果に基づいて絞りを動かしてから、前記複数回の測光をやり直すことを特徴とする請求項１ないし５いずれか記載の撮影方法。
【請求項７】
前記測光は、前記所定領域に重みをつけて撮影画面の全領域を平均測光する重点平均測光又は前記所定領域のみを限定的に測光するスポット測光であることを特徴とする請求項１ないし６いずれか記載の撮影方法。
【請求項８】
１回のレリーズ操作に応答して、撮影画面の測光中心としての所定領域の位置を順次に変更して複数回の測光を行なう測光手段と、
この測光手段によって得られた測光結果に基づいて複数回の撮影を連続して行なう撮影手段と
を備えたことを特徴とする撮影装置。
【請求項９】
前記撮影画面内で主要被写体の位置を検出する検出手段を設け、前記測光手段は、前記検出手段により検出された主要被写体の位置に基づいて、前記所定領域の位置を決定し、測光を行なうことを特徴とする請求項８記載の撮影装置。
【請求項１０】
前記撮影画面内の輝度が所定閾値よりも低い領域又は高い領域から所定領域の位置を選択するように指定する指定手段を設けたことを特徴とする請求項８記載の撮影装置。
【請求項１１】
前記撮影画面を表示する表示画面に前記所定領域の位置を示す所定のマークを表示するマーク表示手段を設けたことを特徴とする請求項８ないし１０いずれか記載の撮影装置。
【請求項１２】
前記各測光の全てを完了した後に全ての撮影をまとめて行なうか、前記各測光を行なう度に撮影を行なうか、のいずれか一方を選択する選択手段を設けたことを特徴とする請求項８ないし１１いずれか記載の撮影装置。
【請求項１３】
前記複数回の測光の結果、撮影光学系を構成する絞りを動かす必要がある場合、前記撮影手段が絞りを動かすことなく少なくとも１回の撮影を行なった後、前記測光の結果に基づいて絞りを動かしてから、前記測光手段が複数回の測光をやり直すことを特徴とする請求項８ないし１２いずれか記載の撮影装置。
【請求項１４】
前記測光手段による測光は、前記所定領域に重みをつけて撮影画面の全領域を平均測光する重点平均測光又は前記所定領域のみを限定的に測光するスポット測光であることを特徴とする請求項８ないし１３いずれか記載の撮影装置。
【発明の詳細な説明】
【技術分野】
【０００１】
本発明は、撮影方法及び撮影装置に関し、更に詳しくは複数コマを連続して撮影する撮影方法及び撮影装置に関するものである。
【背景技術】
【０００２】
撮影装置としては、写真フイルムを用いる銀塩カメラの他、ＣＣＤやＣＭＯＳイメージセンサなどの撮像素子を用いて画像を撮影するデジタルカメラやカメラ付き携帯電話などが普及している。このような撮影装置の中には、通常の露出制御では適正露出の画像を得るのが困難な例えば逆光時の撮影環境下において、段階的に露出を変えながら連続して複数枚（一般的には３枚）の撮影を行なうオートブラケティング（ＡＥＢ）撮影機能を有するカメラがある。
【０００３】
このようなＡＥＢ撮影機能を有する撮影装置には、１回のレリーズ操作により、フィルムの各コマ毎に測光方式を変えて撮影を行ない、１コマ目はスポット測光された測光値に基づく撮影、２コマ目は中央部重点測光された測光値に基づく撮影、３コマ目は平均測光された測光値に基づく撮影を順次に行なうカメラが知られている（例えば特許文献１）。
【０００４】
また、被写界を複数の領域に分割してそれぞれの領域の輝度を測光し、測光結果の最大輝度と最小輝度とがＡＥＢ撮影における露光範囲（フィルムラチチュードも含めた範囲）内に収まるように、ＡＥＢ撮影時の露出量を決定するカメラが知られている（例えば特許文献２）。
【０００５】
また、撮影画面における主要被写体が存在する領域の輝度と撮影画面の平均輝度とを比較することにより逆光判断を行ない、日中シンクロ撮影を行なって構図に影響されずに主要被写体を正しい露出で撮影できるカメラの露出制御システムが知られている（例えば特許文献３）。
【特許文献１】特開平０７−１４０５０９号公報
【特許文献２】特開２０００−７５３４２号公報
【特許文献３】特開２００４−４４４９号公報
【発明の開示】
【発明が解決しようとする課題】
【０００６】
上記のようなＡＥＢ撮影はたいへん便利であるが、撮影画面内で測光しているのは、中央部重点平均測光でもスポット測光でも、撮影画面の中央部分である。したがって、主要な被写体が撮影画面の中央部にないシーンでは、ＡＥＢ撮影を行なっても、適正露出の画像が１コマも撮れていないという失敗が起こり得る。
【０００７】
また、上記のような日中シンクロ撮影では、ストロボの充電が間に合わないため、連続した撮影ができない。したがって、シャッタチャンスに弱いという欠点がある。
【０００８】
本発明は、上記のような問題点を解決するためになされたもので、シャッタチャンスに適正露出の画像が全く得られないというようなミスを防止することができる撮影方法及び撮影装置を提供することを目的とする。
【課題を解決するための手段】
【０００９】
本発明の撮影方法は、１回のレリーズ操作により、撮影画面の測光中心としての所定領域の位置を順次に変更して複数回の測光を行なうとともに、前記各測光の結果に基づいて、複数回の撮影を連続して行なうことを特徴とする。
【００１０】
前記所定領域の位置は、主要被写体の位置を検出し、この位置に基づいて選択されることを特徴とする。前記所定領域の位置は、撮影画面内の輝度が所定閾値よりも低い領域又は高い領域から選択されることを特徴とする。
【００１１】
前記所定領域の位置は、前記撮影画面を表示する表示画面に表示される所定のマークによって示されることを特徴とする。前記撮影は、前記各測光の全てを完了した後にまとめて行なうか、前記各測光を行なう度に行なうか、のいずれか一方が選択自在であることを特徴とする。
【００１２】
前記複数回の測光の結果、撮影光学系を構成する絞りを動かす必要がある場合、前記絞りを動かすことなく少なくとも１回の撮影を行なった後、前記測光の結果に基づいて絞りを動かしてから、前記複数回の測光をやり直すことを特徴とする。前記測光は、前記所定領域に重みをつけて撮影画面の全領域を平均測光する重点平均測光又は前記所定領域のみを限定的に測光するスポット測光であることを特徴とする。
【００１３】
本発明の撮影装置は、１回のレリーズ操作に応答して、撮影画面の測光中心としての所定領域の位置を順次に変更して複数回の測光を行なう測光手段と、この測光手段によって得られた測光結果に基づいて複数回の撮影を連続して行なう撮影制御手段とを備えたことを特徴とする。
【００１４】
前記撮影画面内で主要被写体の位置を検出する検出手段を設け、前記測光手段は、前記検出手段により検出された主要被写体の位置に基づいて、前記所定領域の位置を決定し、測光を行なうことを特徴とする。
【００１５】
前記撮影画面内の輝度が所定閾値よりも低い領域又は高い領域から所定領域の位置を選択するように指定する指定手段を設けたことを特徴とする。
【００１６】
前記撮影画面を表示する表示画面に前記所定領域の位置を示す所定のマークを表示するマーク表示手段を設けたことを特徴とする。
【００１７】
前記各測光の全てを完了した後に全ての撮影をまとめて行なうか、前記各測光を行なう度に撮影を行なうか、のいずれか一方を選択する選択手段を設けたことを特徴とする。
【００１８】
前記複数回の測光の結果、撮影光学系を構成する絞りを動かす必要がある場合、前記撮影手段が絞りを動かすことなく少なくとも１回の撮影を行なった後、前記測光の結果に基づいて絞りを動かしてから、前記測光手段が複数回の測光をやり直すことを特徴とする。
【００１９】
前記測光手段による測光は、前記所定領域に重みをつけて撮影画面の全領域を平均測光する重点平均測光又は前記所定領域のみを限定的に測光するスポット測光であることを特徴とする。
【発明の効果】
【００２０】
本発明の撮影方法及び撮影装置によれば、１回のレリーズ操作で測光する領域の位置を順次に変更して複数回の測光を行ない、各測光の結果に基づいて複数回の撮影を連続して行なうので、シャッタチャンスに適正露出の画像が全く得られないというようなミスを防止することができる。
【００２１】
主要被写体を検出して、その位置で測光するので、主要被写体を正確な明るさで撮影することができる。撮影画面内の輝度が所定閾値よりも低い領域又は高い領域で測光する位置を選ぶので、暗い領域を主体として撮影するのか、明るい領域を主体として撮影するのかを選択することができる。
【００２２】
表示画面に表示される所定のマークによって測光する位置を示すので、測光する被写体を事前に知ることができる。
【００２３】
各測光の全てを完了した後にまとめて撮影するか、各測光を行なう度に撮影するか、のいずれか一方を選択自在としたので、レリーズ操作を行なってから全ての撮影が完了するまでの時間が短い撮影を行なうか、測光と撮影との時間差を少なくしてより正確な露出の撮影を行なうかを選ぶことができる。
【００２４】
測光の結果、撮影光学系を構成する絞りを動かす必要がある場合、一旦撮影を行なった後、駆動に時間がかかる絞りを動かして測光をやり直すので、シャッタチャンスを逃すおそれがない。
【００２５】
前記測光は、所定領域に重みをつけて撮影画面の全領域を平均測光する重点平均測光又は所定領域のみを限定的に測光するスポット測光であるから、従来の装置を大きく変更することなく、シャッタチャンスに適正露出の画像が全く得られないというようなミスを防止することができる。
【発明を実施するための最良の形態】
【００２６】
本発明の第１実施形態であるデジタルカメラ１０を示す図１において、デジタルカメラ１０の前面には、撮影レンズ１１を保持するレンズ鏡胴１２が設けられている。デジタルカメラ１０の上面には、レリーズボタン１３、電源スイッチ１４、及びモードダイヤル１５が設けられている。また、側面には、メモリカード４８（図３参照）を着脱自在に装填するメモリカードスロット（図示は省略）が設けられており、このメモリカードスロットを蓋１６が覆っている。
【００２７】
モードダイヤル１５は、これを回転操作することにより、静止画撮影を行う静止画撮影モード、本発明に係る重点領域ブラケティング撮影モード、動画撮影を行う動画撮影モード、撮影した画像をＬＣＤ１７（図２参照）に表示する再生モード、及び各種設定を行う設定モードのいずれかを選択する。
【００２８】
重点領域ブラケティング撮影モードでは、１回のレリーズ操作で撮影画面における重点平均測光の重点領域の位置を中央部，左下部，右下部，左上部，右上部の５箇所に変更するとともに、各測光結果に基づいて適正露出値を算出した後、各適正露出値に基づいて撮影を連続して行なう。これにより、シャッタチャンスに適正露出の画像が全く得られないというようなミスを防止することができる。
【００２９】
デジタルカメラ１０の背面には、図２に示すように、前記ＬＣＤ１７の他、電子ビューファインダを構成するファインダ接眼窓１８、操作部１９が設けられている。ＬＣＤ１７は、スルー画を表示して電子ビューファインダとしても使用される他、再生モード時に画像を表示したり、各種のメニュー画面などを表示する。
【００３０】
操作部１９は、前記モードダイヤル１５の他、撮影レンズ１１の変倍レンズを広角側、望遠側に移動するズーム操作ボタン２０、ＬＣＤ１７にメニュー画面を表示させる際や選択内容を決定する際などに操作されるメニューボタン２１、及びメニュー画面内のカーソルを移動させる十字キー２２などから構成される。
【００３１】
デジタルカメラ１０の電気的な構成を示す図３において、スイッチ部１３ａは、レリーズボタン１３の押圧に連動してオン・オフするレリーズスイッチＳ１，Ｓ２からなる。レリーズスイッチＳ１は、レリーズボタン１３が半押しされるとオンとなり、レリーズスイッチＳ２はレリーズボタン１３が全押しされるとオンとなる。レリーズスイッチＳ１，Ｓ２のオン・オフ信号はＣＰＵ２５に送られる。
【００３２】
ＣＰＵ２５は、スイッチ部１３ａ，操作部１９からの各種信号に基づいて各部を制御する。ＣＰＵ２５には、ＲＯＭ２５ａ，ＲＡＭ２５ｂが接続されている。ＲＯＭ２５ａには、各種シーケンスを実行するためのプログラムや、シャッタ速度，絞り値，撮影感度の組み合せを決定するための各種プログラム線図に相当するプログラム等を書き込んであり、このプログラムにしたがってＣＰＵ２５は各部を制御する。ＲＡＭ２５ｂは、撮影シーケンスなどを実行する際に必要なデータを一時的に記憶するワークメモリとして利用される。
【００３３】
撮影レンズ１１には、ズーム機構２７，フォーカス機構２８，絞り装置２９が組み込まれている。ズーム機構２７は、操作部１９のズーム操作に応答して、撮影レンズ１１を構成する変倍レンズを移動してズーミングを行う。フォーカス機構２８は、フォーカスレンズ２８ａを移動してピント合せを行う。絞り装置２９は、絞り（絞り開口径）２９ａを調節することで、ＣＣＤイメージセンサ（以下単にＣＣＤという）３０に入射する被写体光の光強度を調節する。
【００３４】
上記ズーム機構２７，フォーカス機構２８，絞り装置２９は、対応するドライバ３１〜３３を介してＣＰＵ２５によって駆動が制御される。
【００３５】
ＣＣＤ３０は、撮影レンズ１１の背後に配してあり、撮影レンズ１１を透過した被写体光がＣＣＤ３０の受光面に入射する。ＣＣＤ３０は、その受光面に多数の受光部が設けてあり、タイミングジェネレータ（ＴＧ）３５からの各種の駆動信号により駆動され、各受光部で露光した被写体像をアナログの撮影信号に変換して出力する。なお、イメージセンサとしては、ＣＣＤ３０の他、ＣＭＯＳイメージセンサを用いることもできる。
【００３６】
ＣＣＤ３０は、ＴＧ３５からの駆動信号によって駆動され、スルー画表示や適正露出値算出の際にはＣＣＤ３０からフィールド画（偶数フィールド又は奇数フィールド）の撮像信号が読み出され、撮影時にはＣＣＤ１２からフレーム画の撮像信号が読み出される。
【００３７】
ＣＣＤ３０は、ＴＧ３５からの電子シャッタパルスの入力により、それまでに蓄積した電荷を掃き出して消去することで電荷蓄積時間を調節する電子シャッタ機能を有しており、電子シャッタパルスの入力期間を調節することで電子シャッタ速度を調節することができる。
【００３８】
ＣＣＤ３０からの撮影信号は、アナログ信号処理部３６に送られる。アナログ信号処理部３６は、ＣＤＳ回路３６ａ，ＡＭＰ回路３６ｂ，Ａ／Ｄ変換器３６ｃから構成されており、ＴＧ３５からの同期パルスが入力されることで、ＣＣＤ３０の電荷読み出し動作と同期して作動する。
【００３９】
ＣＤＳ回路３６ａは、相関二重サンプリングを行うことによって撮影信号からノイズの除去を行なう。ＡＭＰ回路３６ｂは、ＣＰＵ２５によって設定される撮影感度に応じたゲインで撮影信号を増幅する。Ａ／Ｄ変換器３６ｃは、ＡＭＰ回路３６ｂからの撮影信号をデジタル変換して画像データとして出力する。
【００４０】
Ａ／Ｄ変換器３６ｃからの画像データは、画像入力コントローラ３７に送られる。画像入力コントローラ３７は、バス３８への画像データの入力を制御する。バス３８には、前記ＣＰＵ２５の他、画像処理部４０，圧縮伸張処理部４１，ＡＦ検出部４２，ＡＥ／ＡＷＢ検出部４３，メディアコントローラ４４，内部メモリ４５，ＬＣＤドライバ４６が接続されており、これら各部はバス３８を介してＣＰＵ２５に制御されるとともに、相互間でデータの授受が可能になっている。
【００４１】
画像処理部４０は、画像データに対してγ補正，ホワイトバランス補正等の画像処理を行う。圧縮伸張処理部４１は、画像処理部４０からの画像データに対して例えばＪＰＥＧ形式にデータ圧縮を行う。また、圧縮伸張処理部４１は、再生モード下ではメモリカード４８から読み出した圧縮された画像データの伸長を行う。
【００４２】
ＡＦ検出部４２は、撮影レンズ１１のピント合せのために、画像入力コントローラ３７から出力される画像データを用いて撮影中の画像のコントラストを検出し、そのコントラスト情報をＣＰＵ２５に送る。ＣＰＵ２５は、コントラスト情報を参照し、撮影中の画像のコントラストが最大となるように、ドライバ３２を介してフォーカス機構２８を駆動する。
【００４３】
ＡＥ／ＡＷＢ検出部４３は、画像入力コントローラ３７からの画像データに基づいて、被写体輝度の検出と、光源の種類の検出を行ない、それらをＣＰＵ２５に送る。ＣＰＵ２５は、光源の種類に基づいて、画像処理部４０のホワイトバランスのパラメータを設定する。
【００４４】
ＡＥ／ＡＷＢ検出部４３は、後述するように撮影画面を複数の小領域に分割し、その各小領域について被写体輝度を検出し、それら各被写体輝度をＣＰＵ２５に送る。ＣＰＵ２５は、ＡＥ／ＡＷＢ検出部４３からの被写体輝度を用いて露出値を算出する。
【００４５】
ＣＰＵ２５は、スルー画表示時の露出値はスルー画用プログラムにしたがって絞り値，シャッタ速度，撮影感度の組み合わせに変換し、撮影時の露出値は撮影用プログラムにしたがって絞り値，シャッタ速度，撮影感度の組み合わせに変換する。
【００４６】
メディアコントローラ４４は、メモリカード４８のデータの書き込み及び読み出しを制御する。記録すべき画像データは、画像処理部４０，圧縮伸張処理部４１での処理が施されてから、メディアコントローラ４４に送られて、メモリカード４８に書き込まれる。また、再生時には、メディアコントローラ４４によってメモリカード４８に記録されている画像データが読み出され、圧縮伸張処理部４１に送られて画像データの伸長が行われた後に、内部メモリ４５に送られる。
【００４７】
内部メモリ４５は、例えば高速な読み出しと書き込みが可能なＳＤＲＡＭである。この内部メモリ４５は、ＬＣＤ４３に表示すべきフィールド画（スルー画）の画像データや、メモリカード４８に記録すべきフレーム画の画像データを一旦書き込むために使用される。
【００４８】
ＬＣＤドライバ４６は、スルー画表示時及び再生モード時には、内部メモリ４５から画像データを再生用の垂直同期信号に同期して読み出し、その画像データに基づいてＬＣＤ４３を駆動する。これにより、ＬＣＤ４３には、ＣＣＤ３０でスルー画やメモリカード４８から読み出された画像が表示される。
【００４９】
ＡＥ／ＡＷＢ検出部４３は、図４に示すように、撮影画面５０をｎ個（本実施形態では６４個）の小領域５１に分割して、それぞれの小領域５１について被写体輝度を検出し、バス３８を介してＣＰＵ２５に出力する。各小領域５１内に記した数字は適正露出値を算出する際の「重み」を表わしている。
【００５０】
ＣＰＵ２５は、各小領域５１ごとの被写体輝度に重みを付けて露出演算処理を行ない、適正露出値を算出する。適正露出値をＥ，小領域５１ごとの被写体輝度をＤｉ（ｉ＝１，２，・・・ｎ）、小領域５１ごとの重みをＷｉ（ｉ＝１，２，・・・ｎ）としたときに、適正露出値Ｅは、次の数式（１）によって算出される。
【００５１】
【数１】
2008209760.tif 000003
【００５２】
図４に示す重み付けは、主要被写体が撮影画面５０の中央付近にくることが多いことを考慮して撮影画面５０の中央付近の重み係数を大きくする、いわゆる中央部重点平均測光を行うものである。この中央部重点平均測光は、通常の静止画撮影モードと、重点領域ブラケティング撮影モードでの最初の測光とで用いられる。
【００５３】
重点領域ブラケティング撮影モードでは、中央部重点平均測光の後、図５に示す重み付けによって左下部重点平均測光、図６に示す重み付けによって右下部重点平均測光、図７に示す重み付けによって左上部重点平均測光、図８に示す重み付けによって右上部重点平均測光が順次に行なわれる。なお、この順番は、本実施形態に限定されず、任意に設定することができる。
【００５４】
次に上記構成の作用について図９を参照しながら説明する。電源スイッチ１４を押してデジタルカメラ１０の電源をオンにして重点領域ブラケティング撮影モードを選択する。デジタルカメラ１０の電源をオンにした直後から、ファインダ接眼窓１８とＬＣＤ１７にスルー画表示がなされる。
【００５５】
ファインダ接眼窓１８又はＬＣＤ１７に表示されたスルー画を観察してフレーミングを行なった後、レリーズボタン１３を半押しする（ｓｔ１）。レリーズスイッチＳ１のオン信号がＣＰＵ２５に入力されると、ＣＣＤ３０から読み出されたフィールド画の撮像信号がアナログ信号処理部３６のＣＤＳ回路３６ａ，ＡＭＰ回路３６ｂ，Ａ／Ｄ変換器３６ｃを介して画像データに変換されてから画像入力コントローラ３７に送られる。画像入力コントローラ３７は、バス３８を介して画像データを画像処理部４０，ＡＦ検出部４２，ＡＥ／ＡＷＢ検出部４３，内部メモリ４５にそれぞれ送る。
【００５６】
ＡＦ検出部４２からの画像データに基づいたコントラスト情報がＣＰＵ２５に送られ、このＣＰＵ２５でフォーカス機構２８が制御されて、フレーミングされている被写体にピントが合致するように調節される。このピントの調節は、随時行われるから被写体までの撮影距離が変化しても、それに追随してピントが合わせられる（コンティニアス・オート・フォーカス（ＣＡＦ）機能）。ＡＥ／ＡＷＢ検出部４３からは、小領域５１ごとに検出された１画面分の被写体輝度と、光源の種類とがＣＰＵ２５に送られる（ｓｔ２）。
【００５７】
ＣＰＵ２５は、小領域５１ごとに検出された１画面分の被写体輝度に基づいて、中央部重点平均測光の重み付け（図４参照）で露出演算処理を行ない、適正露出値を算出する（ｓｔ３）。同様に、左下部重点平均測光（図５参照）、右下部重点平均測光（図６参照）、左上部重点平均測光（図７参照）、右上部重点平均測光（図８参照）の各重み付けで露出演算処理を行ない、それぞれの適正露出値を算出する（ｓｔ４〜７）。そして、各適正露出値がフレーム画用プログラムに適用されることで、各測光結果に対応した電子シャッタ速度，撮影感度，絞り値がそれぞれ求められる。
【００５８】
レリーズボタン１３を全押しすると（ｓｔ８）、レリーズスイッチＳ２のオン信号がＣＰＵ２５に入力される。ＣＰＵ２５は、中央部重点平均測光の重み付けで算出された適正露出値から求められた電子シャッタ速度をＴＧ３５に、撮影感度をＡＭＰ回路３６ｂに設定するとともに、その絞り値となるようにドライバ３３を介して絞り装置２９を制御する。一方、ＣＰＵ２５は、光源の種類に基づき光源の種類を特定し、その光源に応じたホワイトバランス用のパラメータを画像処理部４０にセットする。
【００５９】
ＣＣＤ３０からフレーム画の撮像信号の読み出しが行われ、アナログ信号処理部３６で画像データとされてから画像入力コントローラ３７により画像処理部４０に送られる。ここで、γ補正，ホワイトバランス補正等の画像処理が施された画像データは、一旦内部メモリ４５に記憶される。なお、フローチャートに示す「撮影」は、レリーズボタン１３を全押し（レリーズ操作）してから、画像データが内部メモリ４５又はメモリカード４８に記憶されるまでをいう。
【００６０】
続いて、左下部重点平均測光の重み付けで算出された適正露出値から求められた電子シャッタ速度，撮影感度，絞り値で撮影が行なわれる（ｓｔ１０）。更に続いて、右下部重点平均測光，左上部重点平均測光，右上部重点平均測光の重み付けで算出された適正露出値から求められた電子シャッタ速度，撮影感度，絞り値でそれぞれ撮影が行なわれる（ｓｔ１１〜１３）。
【００６１】
この後、内部メモリ４５に記憶された５個の画像データは、それぞれ圧縮伸張処理部４１に送られて圧縮処理されてから、メディアコントローラ４４によってメモリカード４８に記録される（ｓｔ１４）。
【００６２】
このように本実施形態によれば、１回のレリーズ操作で撮影画面５０における重点平均測光の重点領域を５箇所に変更して連続撮影するから、どのような状況下でも適正露出の画像をほぼ確実に得ることができる。
【００６３】
次に、第２実施形態について説明する。上記第１実施形態では、５種類の重み付けによる適正露出値を全て算出してから撮影を行なったが、本実施形態では、１種類の重み付けによる適正露出値を算出する都度、撮影を行なう。以下、図１０のフローチャートを参照して説明する。なお、以下に説明する各実施形態の電気的な構成は、上記第１実施形態と同じである。また、上記第１実施形態と同じ内容については、説明を簡略化又は省略する。
【００６４】
レリーズボタン１３を半押し（ｓｔ２１）、続けてレリーズボタン１３を全押しする（ｓｔ２２）。ＣＣＤ３０から読み出されたフィールド画の撮像信号がアナログ信号処理部３６で画像データとされてから画像入力コントローラ３７に入力される。画像入力コントローラ３７は、バス３８を介して画像データを画像処理部４０，ＡＦ検出部４２，ＡＥ／ＡＷＢ検出部４３，内部メモリ４５にそれぞれ送る。
【００６５】
ＡＦ検出部４２からコントラスト情報がＣＰＵ２５に送られ、ピントの調節が行なわれる。ＡＥ／ＡＷＢ検出部４３からは、小領域５１ごとに検出された１画面分の被写体輝度と、光源の種類とがＣＰＵ２５に送られる（ｓｔ２３）。
【００６６】
ＣＰＵ２５は、小領域５１ごとに検出された１画面分の被写体輝度に基づいて、中央部重点平均測光の重み付けで露出演算処理を行ない、適正露出値を算出する（ｓｔ２４）。この適正露出値に基づいて電子シャッタ速度，撮影感度，絞り値がそれぞれ求められ、これによって撮影が行なわれる（ｓｔ２５）。
【００６７】
続いて、ＣＣＤ３０からフィールド画の撮像信号が読み出され、上記と同様に、ＡＥ／ＡＷＢ検出部４３から、小領域５１ごとに検出された１画面分の被写体輝度がＣＰＵ２５に読み込まれ（ｓｔ２６）、左下部重点平均測光の重み付けで露出演算処理が行なわれる（ｓｔ２７）。得られた適正露出値に基づいて電子シャッタ速度，撮影感度，絞り値がそれぞれ求められ、これによって撮影が行なわれる（ｓｔ２８）。
【００６８】
以下、同様に、右下部重点平均測光，左上部重点平均測光，右上部重点平均測光の各重み付けで露出演算処理が行なわれ、得られた各適正露出値に基づいて、それぞれ撮影が行なわれる（ｓｔ２９〜３７）。この後、内部メモリ４５に記憶された５個の画像データは、それぞれ圧縮伸張処理部４１に送られて圧縮処理されてから、メディアコントローラ４４によってメモリカード４８に記録される（ｓｔ３８）。
【００６９】
本実施形態では、５回の撮影ごとにそれぞれ測光するので、第１実施形態よりもレリーズ操作をしてから撮影が完了するまでの時間が余計にかかるが、より正確な露出の画像データを得ることができる。なお、各撮影で得られた画像データを一旦、書込速度が速い内部メモリ４５に記録したが、その都度、メモリカード４８に記憶するようにしてもよい。また、第１，第２実施形態の各重点領域ブラケティング撮影モードは、１台のデジタルカメラ１０でモードダイヤル１５などで随時切り換えられるようにするのが好ましい。
【００７０】
本実施形態において、５箇所の重点領域のうち、所定の閾値よりも輝度が低い重点領域のみ、もしくは所定の閾値よりも輝度が高い重点領域のみを選択して撮影するようにしてもよい。この場合、操作部１９を操作して、閾値の指定と、これよりも低い領域を選択するのか高い領域を選択するのかの指定とを行なう。これにより、５種類の重み付けの全てについて算出された適正露出値から、指定した条件に合致する適正露出値のみが選択されて撮影が行なわれる。
【００７１】
上記第１，２実施形態においては、５種類の重み付けの全てについて撮影を行なったが、５種類のうち例えば左下部，右下部重点平均測光の２種類をマニュアル選択して撮影を行なってもよい。図１１に示すように、ファインダ接眼窓１８又はＬＣＤ１７のファインダ画面５５には各重点領域の中心が例えばグレーのマーク５６で表示されており、ユーザが操作部１９を操作して重点領域を選択すると、対応するマーク５６は例えば赤く点灯する。撮影が終了すると、赤く点灯していたマーク５６は元のグレーに戻る。なお、マーク５６の色は、グレーや赤に限らないのは勿論である。
【００７２】
次に、第３実施形態について説明する。本実施形態は、主要被写体に追随して適正露出値を算出しながら、複数コマの連続撮影を行なう被写体追随連写モードを有するデジタルカメラである。以下、図１２のフローチャートを参照して説明する。
【００７３】
レリーズボタン１３を半押し（ｓｔ４１）、続けてレリーズボタン１３を全押しすると（ｓｔ４２）、上記第２実施形態と同様に、ＣＣＤ３０から読み出されたフィールド画の撮像信号（ｓｔ４３）がアナログ信号処理部３６で画像データとされてから画像入力コントローラ３７に入力される。画像入力コントローラ３７は、バス３８を介して画像データを画像処理部４０，ＡＦ検出部４２，ＡＥ／ＡＷＢ検出部４３，内部メモリ４５にそれぞれ送る。
【００７４】
ＡＦ検出部４２からコントラスト情報がＣＰＵ２５に送られ、ピントの調節が行なわれる。ＣＰＵ２５は、ＡＦ検出部４２のコンティニアス・オート・フォーカス（ＣＡＦ）機能によって合焦している被写体を主要被写体と見なし（ｓｔ４４）、図１３に示すように、ファインダ画面５５に主要被写体５７の動きに追随するマーク５８を表示する（ｓｔ４５）。なお、主要被写体５７が検出されない場合、マーク５８は表示されず（ｓｔ４９）、撮影も実行されないまま終了する（ｓｔ５０）。
【００７５】
ＡＥ／ＡＷＢ検出部４３から、小領域５１ごとに検出された１画面分の被写体輝度がＣＰＵ２５に送られる（ｓｔ４６）。ＣＰＵ２５は、図１４に示すように、マーク５８のファインダ画面５５上の位置に対応する撮影画面５０の小領域５１にスポット測光の重みを付けて露出演算処理を行ない、適正露出値を得る（ｓｔ４７）。この適正露出値に基づいて撮影を行ない、得られた画像データを内部メモリ４５に記憶する（ｓｔ４８）。
【００７６】
撮影開始当初にファインダ画面５５の右下部にあった主要被写体５７は、最初の撮影が終了した時点で、例えばファインダ画面５５の中央下部の位置５７ａに到達している。主要被写体５７がファインダ画面５５内にあるうちは、継続して撮影が行なわれるから、前記ステップ４３〜４８（ｓｔ４３〜４８）が繰り返し実行される（図１５参照）。
【００７７】
主要被写体５７がファインダ画面５５の左下部の位置５７ｂにある時の撮影（図１６参照）を最後にして主要被写体５７がファインダ画面５５から外れると、ＡＦ検出部４２によって主要被写体５７が検出されなくなり、ファインダ画面５５からマーク５８が消失する（ｓｔ４９）。
【００７８】
これと同時に、内部メモリ４５に記憶された（本実施形態では３個の）画像データが、それぞれ圧縮伸張処理部４１に送られて圧縮処理されてから、メディアコントローラ４４によってメモリカード４８に記録される（ｓｔ５１）。
【００７９】
次に、第４実施形態について説明する。上記第１実施形態において、絞り装置２９を駆動して絞り２９ａを動かす必要がある場合がある。絞り装置２９を駆動するには、時間がかかるので、シャッタチャンスを逃しやすくなる。
【００８０】
そこで、図１７のフローチャートに示すように、重み付けの位置を５箇所に順次変更してそれぞれ適正露出値を算出した結果（ｓｔ３〜７）、絞り装置２９を駆動する必要がある場合（ｓｔ５５）、まず絞り装置２９を駆動することなく、例えば中央部重点平均測光の測光結果に対応した電子シャッタ速度，撮影感度をセットする。この電子シャッタ速度，撮影感度は、本来は動かすべき絞り２９ａを動かしていない分、例えば非常に低い撮影感度とするなど、画質低下を伴う値になっている。
【００８１】
ＣＣＤ３０からフレーム画の撮像信号を読み出し、この撮像信号に中央部重点平均測光の重み付け処理，アナログ信号処理部３６での画像データ化，画像処理部４０での各種画像処理，圧縮伸張処理部４１での圧縮処理を施した後、書込速度が速い内部メモリ４５に書き込む（ｓｔ５６）。これにより、画質は低下しても、シャッタチャンスを逃すことなく、被写体の画像を確保することができる。
【００８２】
この後、ステップ３〜７（ｓｔ３〜７）における適正露出値に基づいて絞り装置２９を駆動して絞り２９ａを動かしてから（ｓｔ５７）、ステップ２（ｓｔ２）に戻って、測光のやり直しを行なう。以下、第１実施形態と同様であるから説明を省略する。なお、本実施形態では、絞り２９ａを動かさずに撮影を行なう重み付けを中央部重点平均測光としたが、本発明はこれに限定されることなく、例えば左下部重点平均測光と右下部重点平均測光との平均をとった重み付けを行なってもよい。
【００８３】
以上説明した第１，第２，第４実施形態では、重点領域を５箇所に設定したが、本発明はこれに限定されることなく、例えば３箇所や７箇所でもよい。また、適正露出値の算出順序を中央部→左下部→右下部→左上部→右上部としたが、本発明はこれに限定されることなく、例えば中央部→左上部→右上部→左下部→右下部としてもよい。
【００８４】
また、上記第１，第２，第４実施形態は、重点平均測光を採用したが、第３実施形態で示すようなスポット測光を採用してもよい。また、上記第１〜第４実施形態は、いずれもデジタルカメラであったが、カメラ付き携帯電話やカメラ付きＰＤＡでもよく、また銀塩カメラにも適用可能である。
【図面の簡単な説明】
【００８５】
【図１】本発明の第１実施形態であるデジタルカメラの外観を前面側から示す斜視図である。
【図２】デジタルカメラの外観を背面側から示す平面図である。
【図３】デジタルカメラの電気的構成を示すブロック図である。
【図４】中央部重点平均測光の重み付けを示す撮影画面の説明図である。
【図５】左下部重点平均測光の重み付けを示す撮影画面の説明図である。
【図６】右下部重点平均測光の重み付けを示す撮影画面の説明図である。
【図７】左上部重点平均測光の重み付けを示す撮影画面の説明図である。
【図８】右上部重点平均測光の重み付けを示す撮影画面の説明図である。
【図９】最初に全ての測光を行なう第１実施形態の主なシーケンスを示すフローチャートである。
【図１０】撮影の度に測光を行なう第２実施形態の主なシーケンスを示すフローチャートである。
【図１１】各重点領域の中心を示すマークが表示されたファインダ画面の説明図である。
【図１２】主要被写体の位置に応じて測光・撮影を行なう第３実施形態の主なシーケンスを示すフローチャートである。
【図１３】主要被写体を示すマークが表示されたファインダ画面の説明図である。
【図１４】主要被写体の位置（右下部）に対応したスポット測光の重み付けを示す撮影画面の説明図である。
【図１５】主要被写体の位置（中央下部）に対応したスポット測光の重み付けを示す撮影画面の説明図である。
【図１６】主要被写体の位置（左下部）に対応したスポット測光の重み付けを示す撮影画面の説明図である。
【図１７】絞りの変更を伴う第４実施形態の主なシーケンスを示すフローチャートである。
【符号の説明】
【００８６】
１０  デジタルカメラ
１１  撮影レンズ
１３  レリーズボタン
１５  モードダイヤル
１７  ＬＣＤ
１９  操作部
２５  ＣＰＵ
３０  ＣＣＤ
４２  ＡＦ検出部
４３  ＡＥ／ＡＷＢ検出部
４５  内部メモリ
４８  メモリカード
５０  撮影画面
５５  ファインダ画面
５６，５８  マーク
５７  主要被写体
【図１】
2008209760.tif 000004
【図２】
2008209760.tif 000005
【図３】
2008209760.tif 000006
【図４】
2008209760.tif 000007
【図５】
2008209760.tif 000008
【図６】
2008209760.tif 000009
【図７】
2008209760.tif 000010
【図８】
2008209760.tif 000011
【図９】
2008209760.tif 000012
【図１０】
2008209760.tif 000013
【図１１】
2008209760.tif 000014
【図１２】
2008209760.tif 000015
【図１３】
2008209760.tif 000016
【図１４】
2008209760.tif 000017
【図１５】
2008209760.tif 000018
【図１６】
2008209760.tif 000019
【図１７】
2008209760.tif 000020